(57)【要約】【課題】各種ダイヤル番号の組合わせが容易で登録領域を有効に活用することができ、ダイヤル番号を容易に判読することができる電話装置を提供することを目的とする。【解決手段】電話番号・ピンコード等のダイヤル番号を登録したオートダイヤル番号を使用して自動的にダイヤル番号を回線へ送信しデータ通信を行う電話装置であって、ダイヤル番号のそれぞれを異なるオートダイヤル番号に登録するオートダイヤル登録手段２１４と、オートダイヤル番号に登録されたダイヤル番号の一つをオートダイヤル番号の一つを入力する毎に回線に送信するオートダイヤル通信手段２１５とを有する。【選択図】図２
2005229364.tif 000002
【特許請求の範囲】
【請求項１】
電話番号・ピンコード等のダイヤル番号を登録したオートダイヤル番号を使用して自動的に前記ダイヤル番号を回線へ送信しデータ通信を行う電話装置であって、
前記ダイヤル番号のそれぞれを異なるオートダイヤル番号に登録するオートダイヤル登録手段と、前記オートダイヤル番号に登録されたダイヤル番号の一つを前記オートダイヤル番号の一つを入力する毎に回線に送信するオートダイヤル通信手段とを有することを特徴とする電話装置。
【請求項２】
前記オートダイヤル登録手段は、オートキーが押下される度に一つのダイヤル番号を入力するダイヤル番号入力手段と、オートキーが押下される度に一つのオートダイヤル番号を入力するオートダイヤル番号入力手段と、前記一つのダイヤル番号を前記一つのオートダイヤル番号に登録する登録手段とを有することを特徴とする請求項１に記載の電話装置。
【請求項３】
前記オートダイヤル通信手段は、オートキーが押下される度に一つのオートダイヤル番号を入力するオートダイヤル番号入力手段と、前記オートダイヤル番号入力手段で入力した一つのオートダイヤル番号に対応する一つのダイヤル番号を出力してデータ送信バッファに格納するダイヤル番号出力手段と、トークキーが押下される度に前記データ送信バッファに格納したダイヤル番号を順次に回線へ送信するダイヤル手段と、前記送信したダイヤル番号に応答した音声アナウンスに従って指定された番号を回線へ送信する番号等送信手段とを有することを特徴とする請求項１または２に記載の電話装置。
【請求項４】
電話番号・ピンコード等のダイヤル番号を登録したオートダイヤル番号を使用して自動的に前記ダイヤル番号を回線へ送信しデータ通信を行う電話装置におけるオートダイヤル登録通信方法であって、
前記ダイヤル番号のそれぞれを異なるオートダイヤル番号に登録するオートダイヤル登録ステップと、前記オートダイヤル番号に登録されたダイヤル番号の一つを前記オートダイヤル番号の一つを入力する毎に回線に送信するオートダイヤル通信ステップとを有することを特徴とするオートダイヤル登録通信方法。
【請求項５】
前記オートダイヤル登録ステップは、オートキーが押下される度に一つのダイヤル番号を入力するダイヤル番号入力ステップと、オートキーが押下される度に一つのオートダイヤル番号を入力するオートダイヤル番号入力ステップと、前記一つのダイヤル番号を前記一つのオートダイヤル番号に登録する登録ステップとを有することを特徴とする請求項４に記載のオートダイヤル登録通信方法。
【請求項６】
前記オートダイヤル通信ステップは、オートキーが押下される度に一つのオートダイヤル番号を入力するオートダイヤル番号入力ステップと、前記オートダイヤル番号入力ステップで入力した一つのオートダイヤル番号に対応する一つのダイヤル番号を出力してデータ送信バッファに格納するダイヤル番号出力ステップと、トークキーが押下される度に前記データ送信バッファに格納したダイヤル番号を順次に回線へ送信するダイヤルステップと、前記送信したダイヤル番号に応答した音声アナウンスに従って指定された番号を回線へ送信する番号等送信ステップとを有することを特徴とする請求項４または５に記載のオートダイヤル登録通信方法。
【請求項７】
請求項４乃至６のいずれか１に記載のオートダイヤル登録通信方法の各ステップを実行するためのプログラムを記録しコンピュータで読み取り可能なことを特徴とする記録媒体。
【発明の詳細な説明】
【技術分野】
【０００１】
本発明は、電話番号・ピンコード等のダイヤル番号を登録したオートダイヤル番号を使用して自動的に各種ダイヤル番号を回線へ送信しデータ通信を行う電話装置に関する。
【背景技術】
【０００２】
１つのオ−トダイヤルボタンに複数の電話番号の登録を可能にしたものとして、特許文献１に開示されたオ−トダイヤル方式が有る。また、ワンタツチダイヤルキ−に対応して割り付ける一連の電話番号情報を複数種類記憶し、扱者が操作したキ−に対応する電話番号の発信先に自動発信するものが特許文献２に開示されている。
【０００３】
以下、従来のオートダイヤル登録方法およびオートダイヤル通信方法について、図１０〜図１３を用いて説明する。図１０は従来のオートダイヤル登録方法を示すフローチャートであり、図１１は従来のオートダイヤル通信方法を示すフローチャート、図１２は登録ダイヤル番号を示すデータ図である。図１３はオートダイヤル番号対応登録領域から読み出され、データ送信バッファに格納されたダイヤル番号を示すデータ図である。
【０００４】
図１０において、まず、電話装置の操作部のオートキーが押下されたか否かを判定し、押下されたと判定したら（Ｓ４１−YES）、次ぎに操作部により入力された全てのダイヤル番号を一時記憶用ＲＡＭに格納する。次にオートキーが押下されたか否かを再び判定し、押下されたと判定したら（Ｓ４３−YES）、次ぎに操作部により入力された番号をオートダイヤル番号ｎとして記憶する（Ｓ４４）。このように使用者は、ダイヤル番号に関連付けて任意のオートダイヤル番号ｎを入力することができる。オートダイヤル番号ｎが入力されると、オートダイヤル番号ｎの対応登録領域”ｎ”（ｎが１であれば対応登録領域”１”）に前記一時記憶用ＲＡＭに格納されたダイヤル番号の全桁が登録される。これを図１２に示す。
【０００５】
図１２に示す例では、１つの登録領域の全てのダイヤル番号は“４７７１４２２Ｐ４Ｐ１２３４５６７８９０Ｐ０９８７６Ｐ３”である。例えば銀行のサービスセンタに接続して諸手続をするためのダイヤル登録であるなら、先頭部の番号列“４７７１４２２”が銀行側サービスセンタの電話番号である。その後にピンコード（ＩＤ番号）や口座番号等を等を登録しておくと、使用者はこれら番号を毎回入力する必要がなくなる。図１２に示す例では、英文字Ｐが数字間に挿入されているが、これは待機時間を設けるためであり、この待機時間を利用することにより銀行側サービスセンタは送信されてくるダイヤル番号の判別が可能になる。
【０００６】
次ぎにオートダイヤル通信方法をについて説明する。図１１において、まず操作部のトークキーが押下されたか否かを判定し（Ｓ５１）、トークキーが押下されたと判定したときには次にオートキーが押下されたか否かを判定する（Ｓ５２）。オートキーが押下されたと判定したときには必要とするダイヤル番号が格納されている対応登録領域のオートダイヤル番号ｎを入力する（Ｓ５３）。すると、オートダイヤル番号ｎの対応登録領域”ｎ”のダイヤル番号が読み出されてデータ送信バッファに格納され、このダイヤル番号によって生成されたＤＴＭＦ信号が回線を介して電話局に送信される（Ｓ５４）。
【０００７】
このとき、対応登録領域”ｎ”のダイヤル番号が図１２の“４７７１４２２Ｐ４Ｐ１２３４５６７８９０Ｐ０９８７６Ｐ３”であれば、これらの番号が順次電話局へ送信され、先頭部の番号列“４７７１４２２”が銀行側サービスセンタの電話番号であれば、そのサービスセンタに接続される。その後、ピンコード等の番号が自動送信される。
【特許文献１】特開平３−９８３６１号公報
【特許文献２】特開昭６３−２２０６６２号公報
【発明の開示】
【発明が解決しようとする課題】
【０００８】
このように、従来の電話装置では、全てのダイヤル番号が或るオートダイヤル番号に格納されるため、オートダイヤル番号を指定すればダイヤル番号の組合わせが定まってしまい、必要とするダイヤル番号の組合わせの全てを登録しようとすれば、膨大な登録領域を必要とし、また操作が煩雑になるという問題点を有していた。また、ダイヤル番号には各番号を判別するための待機時間が必要であるが、これが一定でなく、待機時間として不十分なために判別不可能になる場合もあるという問題点を有していた。
【０００９】
この電話装置、オートダイヤル登録通信方法および記録媒体では、各種ダイヤル番号の組合わせを容易に行うことができ、必要とする登録領域の膨大化を防止することができ、ダイヤル番号を容易に判読することができることが要求されている。
【００１０】
本発明は、この要求を満たすため、各種ダイヤル番号の組合わせが容易で登録領域を有効に活用することができ、ダイヤル番号を容易に判読することができる電話装置、および、各種ダイヤル番号の組合わせが容易で登録領域を有効に活用し、ダイヤル番号を容易に判読するためのオートダイヤル登録通信方法、ならびに、そのオートダイヤル登録通信方法を実行するための記録媒体を提供することを目的とする。
【課題を解決するための手段】
【００１１】
この課題を達成するために本発明の電話装置は、電話番号・ピンコード等のダイヤル番号を登録したオートダイヤル番号を使用して自動的にダイヤル番号を回線へ送信しデータ通信を行う電話装置であって、ダイヤル番号のそれぞれを異なるオートダイヤル番号に登録するオートダイヤル登録手段と、オートダイヤル番号に登録されたダイヤル番号の一つをオートダイヤル番号の一つを入力する毎に回線に送信するオートダイヤル通信手段とを有する構成を備えている。
【００１２】
これにより、各種ダイヤル番号の組合わせが容易で登録領域を有効に活用することができ、ダイヤル番号を容易に判読することができる電話装置が得られる。
【００１３】
この課題を達成するために本発明のオートダイヤル登録通信方法は、電話番号・ピンコード等のダイヤル番号を登録したオートダイヤル番号を使用して自動的にダイヤル番号を回線へ送信しデータ通信を行う電話装置におけるオートダイヤル登録通信方法であって、ダイヤル番号のそれぞれを異なるオートダイヤル番号に登録するオートダイヤル登録ステップと、オートダイヤル番号に登録されたダイヤル番号の一つをオートダイヤル番号の一つを入力する毎に回線に送信するオートダイヤル通信ステップとを有する構成を備えている。
【００１４】
また、この課題を達成するためのオートダイヤル登録通信方法の各ステップを実行するためのプログラムをコンピュータで読み取り可能な記録媒体に記録する。
【発明の効果】
【００１５】
本発明の電話装置は、電話番号・ピンコード等のダイヤル番号を登録したオートダイヤル番号を使用して自動的にダイヤル番号を回線へ送信しデータ通信を行う電話装置であって、ダイヤル番号のそれぞれを異なるオートダイヤル番号に登録するオートダイヤル登録手段と、オートダイヤル番号に登録されたダイヤル番号の一つをオートダイヤル番号の一つを入力する毎に回線に送信するオートダイヤル通信手段とを有することにより、一つの
種別たとえばパスワードのダイヤル番号を一つのオートダイヤル番号に登録（オートダイヤル番号対応登録領域に登録）することができ、また一つのオートダイヤル番号を入力すれば、そのオートダイヤル番号に対応するダイヤル番号を回線に送信することができるので、オートダイヤル番号の入力だけで各種ダイヤル番号を組み合わせることができ、各種ダイヤル番号の組合わせを容易に行うことができ、必要とする登録領域の膨大化を防止することができ、ダイヤル番号を容易に判読することができるという有利な効果が得られる。
【００１６】
さらに、オートダイヤル登録手段は、オートキーが押下される度に一つのダイヤル番号を入力するダイヤル番号入力手段と、オートキーが押下される度に一つのオートダイヤル番号を入力するオートダイヤル番号入力手段と、一つのダイヤル番号を一つのオートダイヤル番号に登録する登録手段とを有することにより、一つのダイヤル番号と一つのオートダイヤル番号とを確実に入力することができ、確実に入力された一つのオートダイヤル番号に確実に入力された一つのダイヤル番号を登録することができるという有利な効果が得られる。
【００１７】
さらに、オートダイヤル通信手段は、オートキーが押下される度に一つのオートダイヤル番号を入力するオートダイヤル番号入力手段と、オートダイヤル番号入力手段で入力した一つのオートダイヤル番号に対応する一つのダイヤル番号を出力してデータ送信バッファに格納するダイヤル番号出力手段と、トークキーが押下される度にデータ送信バッファに格納したダイヤル番号を順次に回線へ送信するダイヤル手段と、送信したダイヤル番号に応答した音声アナウンスに従って指定された番号を回線へ送信する番号等送信手段とを有することにより、一つのオートダイヤル番号を確実に入力し、その入力した一つのオートダイヤル番号に対応する一つのダイヤル番号をデータ送信バッファに格納して順次に回線へ送信することができるので、組み合わせられた各種ダイヤル番号を容易に判別することができ、また音声アナウンスを介して確実に利用者の要求を相手側に通知することができるという有利な効果が得られる。
【００１８】
さらに、電話番号・ピンコード等のダイヤル番号を登録したオートダイヤル番号を使用して自動的にダイヤル番号を回線へ送信しデータ通信を行う電話装置におけるオートダイヤル登録通信方法であって、ダイヤル番号のそれぞれを異なるオートダイヤル番号に登録するオートダイヤル登録ステップと、オートダイヤル番号に登録されたダイヤル番号の一つをオートダイヤル番号の一つを入力する毎に回線に送信するオートダイヤル通信ステップとを有することにより、一つの種別たとえばパスワードのダイヤル番号を一つのオートダイヤル番号に登録（オートダイヤル番号対応登録領域に登録）することができ、また一つのオートダイヤル番号を入力すれば、そのオートダイヤル番号に対応するダイヤル番号を回線に送信することができるので、オートダイヤル番号の入力だけで各種ダイヤル番号を組み合わせることができ、各種ダイヤル番号の組合わせを容易に行うことができ、必要とする登録領域の膨大化を防止することができ、ダイヤル番号を容易に判読することができるという有利な効果が得られる。
【００１９】
さらに、オートダイヤル登録ステップは、オートキーが押下される度に一つのダイヤル番号を入力するダイヤル番号入力ステップと、オートキーが押下される度に一つのオートダイヤル番号を入力するオートダイヤル番号入力ステップと、一つのダイヤル番号を一つのオートダイヤル番号に登録する登録ステップとを有することにより、一つのダイヤル番号と一つのオートダイヤル番号とを確実に入力することができ、確実に入力された一つのオートダイヤル番号に確実に入力された一つのダイヤル番号を登録することができるという有利な効果が得られる。
【００２０】
さらに、オートダイヤル通信ステップは、オートキーが押下される度に一つのオートダ
イヤル番号を入力するオートダイヤル番号入力ステップと、オートダイヤル番号入力ステップで入力した一つのオートダイヤル番号に対応する一つのダイヤル番号を出力してデータ送信バッファに格納するダイヤル番号出力ステップと、トークキーが押下される度にデータ送信バッファに格納したダイヤル番号を順次に回線へ送信するダイヤルステップと、送信したダイヤル番号に応答した音声アナウンスに従って指定された番号を回線へ送信する番号等送信ステップとを有することにより、一つのオートダイヤル番号を確実に入力し、その入力した一つのオートダイヤル番号に対応する一つのダイヤル番号をデータ送信バッファに格納して順次に回線へ送信することができるので、組み合わせられた各種ダイヤル番号を容易に判別することができ、また音声アナウンスを介して確実に利用者の要求を相手側に通知することができるという有利な効果が得られる。
【００２１】
さらに、上記オートダイヤル登録通信方法の各ステップを実行するためのプログラムを記録したコンピュータで読み取り可能な記録媒体であることにより、そのプログラムを記録媒体から読み取ってコンピュータで実行することにより、任意の場所で任意の時間に、上記オートダイヤル登録通信方法を実行することができるという有利な効果が得られる。
【発明を実施するための最良の形態】
【００２２】
本発明は、各種ダイヤル番号の組合わせを容易に行い、必要とする登録領域の膨大化を防止し、ダイヤル番号を容易に判読するという目的を、一つのオートダイヤル番号対応登録領域に一つの種別のダイヤル番号（たとえばパスワード）を登録することにより実現した。
【００２３】
上記課題を解決するためになされた第１の発明は、電話番号・ピンコード等のダイヤル番号を登録したオートダイヤル番号を使用して自動的にダイヤル番号を回線へ送信しデータ通信を行う電話装置であって、ダイヤル番号のそれぞれを異なるオートダイヤル番号に登録するオートダイヤル登録手段と、オートダイヤル番号に登録されたダイヤル番号の一つをオートダイヤル番号の一つを入力する毎に回線に送信するオートダイヤル通信手段とを有することとしたものであり、一つの種別たとえばパスワードのダイヤル番号を一つのオートダイヤル番号に登録（オートダイヤル番号対応登録領域に登録）することができ、また一つのオートダイヤル番号を入力すれば、そのオートダイヤル番号に対応するダイヤル番号を回線に送信することができるので、オートダイヤル番号の入力だけで各種ダイヤル番号を組み合わせることができ、各種ダイヤル番号の組合わせを容易に行うことができ、必要とする登録領域の膨大化を防止することができ、ダイヤル番号を容易に判読することができるという作用・効果を有する。
【００２４】
上記課題を解決するためになされた第２の発明は、オートダイヤル登録手段は、オートキーが押下される度に一つのダイヤル番号を入力するダイヤル番号入力手段と、オートキーが押下される度に一つのオートダイヤル番号を入力するオートダイヤル番号入力手段と、一つのダイヤル番号を一つのオートダイヤル番号に登録する登録手段とを有することとしたものであり、一つのダイヤル番号と一つのオートダイヤル番号とを確実に入力することができ、確実に入力された一つのオートダイヤル番号に確実に入力された一つのダイヤル番号を登録することができるという作用・効果を有する。
【００２５】
上記課題を解決するためになされた第３の発明は、オートダイヤル通信手段は、オートキーが押下される度に一つのオートダイヤル番号を入力するオートダイヤル番号入力手段と、オートダイヤル番号入力手段で入力した一つのオートダイヤル番号に対応する一つのダイヤル番号を出力してデータ送信バッファに格納するダイヤル番号出力手段と、トークキーが押下される度にデータ送信バッファに格納したダイヤル番号を順次に回線へ送信するダイヤル手段と、送信したダイヤル番号に応答した音声アナウンスに従って指定された番号を回線へ送信する番号等送信手段とを有することとしたものであり、一つのオートダ
イヤル番号を確実に入力し、その入力した一つのオートダイヤル番号に対応する一つのダイヤル番号をデータ送信バッファに格納して順次に回線へ送信することができるので、組み合わせられた各種ダイヤル番号を容易に判別することができ、また音声アナウンスを介して確実に利用者の要求を相手側に通知することができるという作用・効果を有する。
【００２６】
上記課題を解決するためになされた第４の発明は、電話番号・ピンコード等のダイヤル番号を登録したオートダイヤル番号を使用して自動的にダイヤル番号を回線へ送信しデータ通信を行う電話装置におけるオートダイヤル登録通信方法であって、ダイヤル番号のそれぞれを異なるオートダイヤル番号に登録するオートダイヤル登録ステップと、オートダイヤル番号に登録されたダイヤル番号の一つをオートダイヤル番号の一つを入力する毎に回線に送信するオートダイヤル通信ステップとを有することとしたものであり、一つの種別たとえばパスワードのダイヤル番号を一つのオートダイヤル番号に登録（オートダイヤル番号対応登録領域に登録）することができ、また一つのオートダイヤル番号を入力すれば、そのオートダイヤル番号に対応するダイヤル番号を回線に送信することができるので、オートダイヤル番号の入力だけで各種ダイヤル番号を組み合わせることができ、各種ダイヤル番号の組合わせを容易に行うことができ、必要とする登録領域の膨大化を防止することができ、ダイヤル番号を容易に判読することができるという作用・効果を有する。
【００２７】
上記課題を解決するためになされた第５の発明は、オートダイヤル登録ステップは、オートキーが押下される度に一つのダイヤル番号を入力するダイヤル番号入力ステップと、オートキーが押下される度に一つのオートダイヤル番号を入力するオートダイヤル番号入力ステップと、一つのダイヤル番号を一つのオートダイヤル番号に登録する登録ステップとを有することとしたものであり、一つのダイヤル番号と一つのオートダイヤル番号とを確実に入力することができ、確実に入力された一つのオートダイヤル番号に確実に入力された一つのダイヤル番号を登録することができるという作用・効果を有する。
【００２８】
上記課題を解決するためになされた第６の発明は、オートダイヤル通信ステップは、オートキーが押下される度に一つのオートダイヤル番号を入力するオートダイヤル番号入力ステップと、オートダイヤル番号入力ステップで入力した一つのオートダイヤル番号に対応する一つのダイヤル番号を出力してデータ送信バッファに格納するダイヤル番号出力ステップと、トークキーが押下される度にデータ送信バッファに格納したダイヤル番号を順次に回線へ送信するダイヤルステップと、送信したダイヤル番号に応答した音声アナウンスに従って指定された番号を回線へ送信する番号等送信ステップとを有することとしたものであり、一つのオートダイヤル番号を確実に入力し、その入力した一つのオートダイヤル番号に対応する一つのダイヤル番号をデータ送信バッファに格納して順次に回線へ送信することができるので、組み合わせられた各種ダイヤル番号を容易に判別することができ、また音声アナウンスを介して確実に利用者の要求を相手側に通知することができるという作用・効果を有する。
【００２９】
上記課題を解決するためになされた第７の発明は、第４の発明乃至第６の発明のいずれか１に記載のオートダイヤル登録通信方法の各ステップを実行するためのプログラムを記録しコンピュータで読み取り可能な記録媒体であることとしたものであり、そのプログラムを記録媒体から読み取ってコンピュータで実行することにより、任意の場所で任意の時間に、第４の発明乃至第６の発明のいずれか１に記載のオートダイヤル登録通信方法を実行することができるという作用・効果を有する。
【００３０】
（実施の形態１）
図１は本発明の実施の形態１による電話装置の構成を示すブロック図である。図１において、１は電話装置の親機、２は電話装置の子機である。３は交換機を有する電話局、４は電話局３に接続された銀行側サービスセンタである。
【００３１】
親機１において、１ａは親機１における送受信のためのアンテナである。１１は全体を制御する制御部１１１とＲＡＭ１１２とＲＯＭ１１３とを有するＣＰＵである。１２は発呼者番号等のコーラＩＤデータを検知するコーラＩＤデータ検知部、１３は電話回線と接続するための回線インタフェース部、１４は外線や子機２との通話を行うための通話回路部である。１５は子機２へデータを送信する送信部、１６は子機２からのデータを受信する受信部である。１７は送信部１５に接続されたマイク、１８は受信部１６に接続されたスピーカである。１９は文字や数字の入力や表示を行う操作部である。２０は外部記憶装置としてのＥＥＰＲＯＭである。
【００３２】
子機２において、２ａは送受信のためのアンテナである。２１は全体を制御する制御部２１１とＲＡＭ２１２とＲＯＭ２１３とを有するＣＰＵである。２２は親機１へデータを送信する送信部、２３は親機１からのデータを受信する受信部である。２４は送信部２２に接続されたマイク、２５は受信部２３に接続されたスピーカである。２６は文字や数字を表示する表示部としてのＬＣＤ、２７は文字や数字の入力や表示を行う操作部である。２８は外部記憶装置（例えばＥＥＰＲＯＭ）、２８１、２８２、２８ｎはダイヤル番号を登録するためのオートダイヤル番号対応登録領域である。２１２１は送信データを一旦記憶するデータ送信バッファである。
【００３３】
たとえばダイヤル番号１２３４５６７を入力してオートダイヤル番号を“１”に設定すれば、オートダイヤル番号１の対応登録領域２８１にダイヤル番号１２３４５６７が格納される。
【００３４】
図２は、図１の制御部２１１を示す機能ブロック図である。図２において、２１４はダイヤル番号のそれぞれを異なるオートダイヤル番号（正確には異なるオートダイヤル番号対応登録領域）に登録するオートダイヤル登録手段、２１５はオートダイヤル番号に登録されたダイヤル番号の一つをオートダイヤル番号の一つを入力する毎に回線に送信するオートダイヤル通信手段である。
【００３５】
図３は、図２のオートダイヤル登録手段２１４を示す機能ブロック図である。図３において、２１４１はオートキーが押下されたか否かを判定するオートキー押下判定手段、２１４２はオートキーが押下される度に一つのダイヤル番号を入力するダイヤル番号入力手段、２１４３はオートキーが押下される度に一つのオートダイヤル番号を入力するオートダイヤル番号入力手段、２１４４は一つのダイヤル番号を一つのオートダイヤル番号に登録する登録手段、２１４５は全てのダイヤル番号が入力されたか否かを判定するダイヤル番号入力終了判定手段である。
【００３６】
図４は、図２のオートダイヤル通信手段を示す機能ブロック図である。図４において、２１５１はオートキーが押下されたか否かを判定するオートキー押下判定手段、２１５２はオートキーが押下される度に一つのオートダイヤル番号を入力するオートダイヤル番号入力手段、２１５３はオートダイヤル番号入力手段２１５２で入力した一つのオートダイヤル番号に対応する一つのダイヤル番号を出力してデータ送信バッファ２１２１に格納するダイヤル番号出力手段、２１５４はトークキーが押下されたか否かを判定するトークキー押下判定手段、２１５５はトークキーが押下される度にデータ送信バッファ２１２１に格納したダイヤル番号を順次に回線へ送信するダイヤル手段、２１５６は送信のためにデータ送信バッファ２１２１から読み出されたダイヤル番号や音声アナウンスで指定した番号が正しいか否かを判定する番号等判定手段、２１５７は音声アナウンスで指定された番号を回線へ送信する番号等送信手段、２１５８は回線を切断する回線切断手段である。
【００３７】
このように構成された電話装置について、その動作を図５〜図９を用いて説明する。図
５はオートダイヤル登録方法を示すフローチャートであり、図６、図７はオートダイヤル通信方法を示すフローチャート、図８（ａ）、（ｂ）、（ｃ）は登録ダイヤル番号を示すデータ図、図９（ａ）、（ｂ）、（ｃ）、（ｄ）、（ｅ）、（ｆ）、（ｇ）、（ｈ）はオートダイヤル番号対応登録領域から読み出されデータ送信バッファ２１２１に格納されると共に送信されるダイヤル番号を示すデータ図である。
【００３８】
まず、オートダイヤル登録方法について、図５、図８を用いて説明する。図５において、まず、オートキー押下判定手段２１４１はオートキーが押下されたか否かを判定し（Ｓ１）、押下されたと判定したときにはダイヤル番号入力手段２１４２は一つのダイヤル番号を入力し（Ｓ２）、次に同様にオートキー押下判定手段２１４１はオートキーが押下されたか否かを判定する（Ｓ３）。オートキーが押下されたと判定したときにはオートダイヤル番号入力手段２１４３は一つのオートダイヤル番号を入力する（Ｓ４）。
【００３９】
次に、登録手段２１４４は、ステップＳ２で入力した一つのダイヤル番号をステップＳ４で入力した一つのオートダイヤル番号に登録する（Ｓ５）。次に、ダイヤル番号入力終了判定手段２１４５は、全てのダイヤル番号が入力されたか否かを判定する（Ｓ６）。すなわちダイヤル番号入力終了判定手段２１４５において全てのダイヤル番号が入力されていないと判定されている間は、ステップＳ１〜Ｓ５を繰り返し、ダイヤル番号入力手段２１４２はオートキーが押下される度に一つのダイヤル番号を入力し、オートダイヤル番号入力手段２１４３はオートキーが押下される度に一つのオートダイヤル番号を入力する。このようにして、必要なダイヤル番号がオートダイヤル番号に登録される。図８（ａ）は“４７７１４２２”の電話番号がオートダイヤル番号１に登録された場合を示し、図８（ｂ）は“１２３４５６７８９０”のピンコードが登録された場合、図８（ｃ）は“０９８７６５”のパスワードが登録された場合を示す。
【００４０】
次に、オートダイヤル通信方法について、図６、図７、図９を用いて説明する。図６において、まず、オートキー押下判定手段２１５１はオートキーが押下されたか否かを判定し（Ｓ１１）、オートキーが押下されたと判定したときにはオートダイヤル番号入力手段２１５２は一つのオートダイヤル番号を入力する（Ｓ１２）。オートダイヤル番号を入力すると次にダイヤル番号出力手段２１５３は、入力したオートダイヤル番号に対応するオートダイヤル番号対応登録領域から（オートダイヤル番号が１の場合には領域２８１から）ダイヤル番号を読み出して、データ送信バッファ２１２１に格納する（Ｓ１３）。次に、オートキー押下判定手段２１５１は所定時間内（例えば１０秒以内）に再びオートキーが押下されたか否かを判定し（Ｓ１４）、押下されたと判定したときにはステップＳ１２に戻り、再びオートダイヤル番号を入力する。このようにして必要なダイヤル番号が順次にオートダイヤル番号対応登録領域から読み出される。ここまでは、いわば通信のための準備段階である。
【００４１】
図９（ａ）、（ｂ）、（ｃ）には、順次に、“４７７１４２２”の電話番号、“１２３４５６７８９０”のピンコード、“０９８７６”のパスワードがデータ送信バッファ２１２１に格納される様子を示す。このとき、各種ダイヤル番号を区切るためのＤ（デリミッタ、Ｄｅｌｉｍｅｔｔｅｒ）記号が各ダイヤル番号間に挿入される。
【００４２】
次に、トークキー押下判定手段２１５４はトークキーが押下されたか否かを判定し（Ｓ１５）、押下されたと判定したときにはダイヤル手段２１５５は、まず、データ送信バッファ２１２１に格納したダイヤル番号のうちＤ記号があるまでの“４７７１４２２”の電話番号を回線へ送信する（図９（ｄ）参照）（Ｓ１６）。すると、相手側（ここでは銀行側サービスセンタ４）からの音声メッセージが送信されてくるが、送信されてきた音声メッセージは音声アナウンスとして受信部２３、スピーカ２５を介して流される。
【００４３】
利用者が音声アナウンスに従って番号を選択（ここでは４番のお客様メニューを選択）すると、番号等判定手段２１５６は音声アナウンスに従って番号が正しく選択されたか否かを判定し（Ｓ１７）、正しく選択されたと判定したときには番号等送信手段２１５７は選択された番号“４”とＤ記号を回線へ送信すると共に“４Ｄ”をデータ送信バッファ２１２１に格納する（図９（ｅ）参照）（Ｓ１８）。すると再び相手側から“ピンコードを入力して下さい”という音声メッセージが送信されてくるが、送信されてきた音声メッセージは音声アナウンスとして受信部２３、スピーカ２５を介して流される。
【００４４】
次に、トークキー押下判定手段２１５４はトークキーが押下されたか否かを判定する（Ｓ１９）。すなわち、トークキーの押下待ち状態になる。トークキーが押下されたと判定したときにはダイヤル番号出力手段２１５３は、自動的に次のダイヤル番号である“１２３４５６７８９０”のピンコードをデータ送信バッファ２１２１から読み出し（図９（ｆ）参照）、番号等判定手段２１５６は読み出されたピンコードが正しいピンコードか否かを判定し（Ｓ２０）、正しく選択されたと判定したときには番号等送信手段２１５７は“１２３４５６７８９０”のピンコードを回線へ送信する（図７のＳ２１、これ以降は図７の説明）。すると再び相手側から“パスワードを入力して下さい”という音声メッセージが送信されてくるが、送信されてきた音声メッセージは音声アナウンスとして受信部２３、スピーカ２５を介して流される。
【００４５】
次に、トークキー押下判定手段２１５４はトークキーが押下されたか否かを判定する（Ｓ２２）。すなわち、トークキーの押下待ち状態になる。トークキーが押下されたと判定したときにはダイヤル番号出力手段２１５３は、自動的に次のダイヤル番号である“０９８７６”のパスワードをデータ送信バッファ２１２１から読み出し（図９（ｇ）参照）、番号等判定手段２１５６は読み出されたパスワードが正しいパスワードか否かを判定し（Ｓ２３）、正しく選択されたと判定したときには番号等送信手段２１５７は“０９８７６”のパスワードを回線へ送信する（Ｓ２４）。すると再び相手側からの音声メッセージが送信されてくるが、送信されてきた音声メッセージは音声アナウンスとして受信部２３、スピーカ２５を介して流される。
【００４６】
利用者が音声アナウンスに従って番号を選択（ここでは３番の“あなたの口座残高についてのインフォメーションです”を選択）すると、番号等判定手段２１５６は音声アナウンスに従って番号が正しく選択されたか否かを判定し（Ｓ２５）、正しく選択されたと判定したときには番号等送信手段２１５７は、押下した番号“３”を回線へ送信すると共に“３”をデータ送信バッファ２１２１に格納する（図９（ｈ）参照）（Ｓ２６）。すると相手側から口座残高についてのインフォメーションが送信されてくるが、送信されてきたインフォメーションは音声アナウンスとして受信部２３、スピーカ２５を介して流される。次に、回線切断手段２１５８は回線を切断し、通信を終了する（Ｓ２７）。
【００４７】
なお、本実施の形態１では電話装置を構成する子機２について説明したが、親機１を同様な構成として親機１で同様の動作を行うとしても、同様の効果を奏するものである。
【００４８】
以上のように本実施の形態によれば、ダイヤル番号のそれぞれを異なるオートダイヤル番号に登録するオートダイヤル登録手段２１４と、オートダイヤル番号に登録されたダイヤル番号の一つをオートダイヤル番号の一つを入力する毎に回線に送信するオートダイヤル通信手段２１５とを有することにより、一つの種別たとえばパスワードのダイヤル番号を一つのオートダイヤル番号に登録（オートダイヤル番号対応登録領域に登録）することができ、また一つのオートダイヤル番号を入力すれば、そのオートダイヤル番号に対応するダイヤル番号を回線に送信することができるので、オートダイヤル番号の入力だけで各種ダイヤル番号を組み合わせることができ、各種ダイヤル番号の組合わせを容易に行うことができ、必要とする登録領域の膨大化を防止することができ、ダイヤル番号を容易に判
読することができる。
【００４９】
さらに、オートダイヤル登録手段２１４は、オートキーが押下される度に一つのダイヤル番号を入力するダイヤル番号入力手段２１４２と、オートキーが押下される度に一つのオートダイヤル番号を入力するオートダイヤル番号入力手段２１４３と、一つのダイヤル番号を一つのオートダイヤル番号に登録する登録手段２１４４とを有することにより、一つのダイヤル番号と一つのオートダイヤル番号とを確実に入力することができ、確実に入力された一つのオートダイヤル番号に確実に入力された一つのダイヤル番号を登録することができる。
【００５０】
さらに、オートダイヤル通信手段２１５は、オートキーが押下される度に一つのオートダイヤル番号を入力するオートダイヤル番号入力手段２１５２と、オートダイヤル番号入力手段２１５２で入力した一つのオートダイヤル番号に対応する一つのダイヤル番号を出力してデータ送信バッファに格納するダイヤル番号出力手段２１５３と、トークキーが押下される度にデータ送信バッファに格納したダイヤル番号を順次に回線へ送信するダイヤル手段２１５５と、送信したダイヤル番号に応答した音声アナウンスに従って指定された番号を回線へ送信する番号等送信手段２１５７とを有することにより、一つのオートダイヤル番号を確実に入力し、その入力した一つのオートダイヤル番号に対応する一つのダイヤル番号をデータ送信バッファに格納して順次に回線へ送信することができるので、組み合わせられた各種ダイヤル番号を容易に判別することができ、また音声アナウンスを介して確実に利用者の要求を相手側に通知することができる。
【００５１】
さらに、上記オートダイヤル登録通信方法の各ステップを実行するためのプログラムを記録しコンピュータで読み取り可能な記録媒体を用いれば、そのプログラムを記録媒体から読み取ってコンピュータで実行することにより、任意の場所で任意の時間に、上記オートダイヤル登録通信方法を実行することができる。
【産業上の利用可能性】
【００５２】
本発明は、電話番号・ピンコード等のダイヤル番号を登録したオートダイヤル番号を使用して自動的に各種ダイヤル番号を回線へ送信しデータ通信を行う電話装置に関し、各種ダイヤル番号の組合わせが容易で登録領域を有効に活用することができ、ダイヤル番号を容易に判読することができる。
【図面の簡単な説明】
【００５３】
【図１】本発明の実施の形態１による電話装置の構成を示すブロック図
【図２】図１の制御部を示す機能ブロック図
【図３】図２のオートダイヤル登録手段を示すブロック図
【図４】図２のオートダイヤル通信手段を示すブロック図
【図５】オートダイヤル登録方法を示すフローチャート
【図６】オートダイヤル通信方法を示すフローチャート
【図７】オートダイヤル通信方法を示すフローチャート
【図８】登録ダイヤル番号を示すデータ図
【図９】オートダイヤル番号対応登録領域から読み出されデータ送信バッファに格納されると共に送信されるダイヤル番号を示すデータ図
【図１０】従来のオートダイヤル登録方法を示すフローチャート
【図１１】従来のオートダイヤル通信方法を示すフローチャート
【図１２】登録ダイヤル番号を示すデータ図
【図１３】オートダイヤル番号対応登録領域から読み出されデータ通信バッファに格納されたダイヤル番号を示すデータ図
【符号の説明】
【００５４】
１    親機
１ａ、２ａ    アンテナ
２    子機
３    電話局
４    銀行側サービスセンタ
１１、２１    ＣＰＵ
１２    コーラＩＤデータ検知部
１３    回線インタフェース部
１４    通話回路部
１５、２２    送信部
１６、２３    受信部
１７、２４    マイク
１８、２５    スピーカ
１９、２７    操作部
２０、２８    外部記憶装置（ＥＥＰＲＯＭ）
２６    ＬＣＤ（表示部）
１１１、２１１    制御部
１１２、２１２    ＲＡＭ
１１３、２１３    ＲＯＭ
２１４    オートダイヤル登録手段
２１５    オートダイヤル通信手段
２８１、２８２、２８ｎ    オートダイヤル番号対応登録領域
２１２１    データ送信バッファ
２１４１、２１５１    オートキー押下判定手段
２１４２    ダイヤル番号入力手段
２１４３、２１５２    オートダイヤル番号入力手段
２１４４    登録手段
２１４５    ダイヤル番号入力終了判定手段
２１５３    ダイヤル番号出力手段
２１５４    トークキー押下判定手段
２１５５    ダイヤル手段
２１５６    番号等判定手段
２１５７    番号等送信手段
２１５８    回線切断手段
【図１】
2005229364.tif 000003
【図２】
2005229364.tif 000004
【図３】
2005229364.tif 000005
【図４】
2005229364.tif 000006
【図５】
2005229364.tif 000007
【図６】
2005229364.tif 000008
【図７】
2005229364.tif 000009
【図８】
2005229364.tif 000010
【図９】
2005229364.tif 000011
【図１０】
2005229364.tif 000012
【図１１】
2005229364.tif 000013
【図１２】
2005229364.tif 000014
【図１３】
2005229364.tif 000015